(57)【要約】【課題】設定されたチャンネルのテレビ映像の表示開始後にその状態を継続的に保持することが可能なテレビジョン装置を提供する。【解決手段】設定されたチャンネルの番組が表示されているときに他のチャンネルの番組を継続的に見たい場合には、現在表示中の番組に対応するチャンネルの設定を無効とする解除操作を行わないと他のチャンネルへ切り換えても所定時間後に設定されたチャンネルへ復帰させられて、他のチャンネルへ継続的に切り換えることができないので、設定されたチャンネルの番組の表示開始後にそのチャンネル以外の他のチャンネルへの切換操作がなされたとしても設定されたチャンネルの番組の表示状態を継続的に保持することが可能になる。【選択図】図４
2008258758.tif 000002
【特許請求の範囲】
【請求項１】
受信されるテレビジョン放送信号の中から１つのチャンネルに対応するテレビジョン放送信号に基づくテレビ映像を表示するテレビ機能と、挿入されたＤＶＤに記憶されているデジタルの映像データを読み取って再生可能なＤＶＤ再生機能と、上記テレビジョン放送信号に基づくテレビ映像の表示と上記映像データの再生に基づく映像の表示とを切り替える切替機能と、表示したいテレビ映像の設定日、時刻、チャンネル、音量の各項目をお気に入りチャンネル設定として設定するチャンネル設定機能と、時計回路から通知された実時刻が予め設定された時刻となったときに上記お気に入りチャンネル設定におけるテレビ映像を表示するタイマ機能とを有するマイコンを具備するＤＶＤ再生機能付テレビジョン装置において、
ユーザの操作を受け付ける複数の操作キーの操作に応じた操作信号を上記マイコンへ出力する操作装置と、
設定日、時刻、チャンネル、音量の各項目からなる上記お気に入りチャンネル設定を記録するための不揮発性半導体メモリとを備え、
上記マイコンは、
上記実時刻が上記不揮発性半導体メモリに記憶されている上記お気に入りチャンネル設定の時刻となると、
上記ＤＶＤ再生機能付テレビジョン装置の電源がオフである場合には、同ＤＶＤ再生機能付テレビジョン装置の電源をオンし、
上記ＤＶＤが再生中である場合には、同ＤＶＤの再生を停止させると共に、停止直前の状態を保存して、次回同ＤＶＤの再生を行うときに同停止直前の状態から再生を行うレジューム機能を働かせ、
上記お気に入りチャンネル設定におけるテレビ映像を表示するものであり、
上記お気に入りチャンネル設定におけるテレビ映像を表示しているときに、
上記操作装置により上記お気に入りチャンネル設定のチャンネル以外の他のチャンネルへの切換操作がなされた場合には、同他のチャンネルへ所定時間切り換えた後同お気に入りチャンネル設定のチャンネルへ復帰させ、
上記操作装置により上記ＤＶＤの再生操作がなされた場合には、同ＤＶＤを所定時間再生後上記お気に入りチャンネル設定におけるテレビ映像へ復帰させ、
上記操作装置により上記ＤＶＤ再生機能付テレビジョン装置の電源のオフ操作がなされた場合には、同電源のオフ操作を無効とする一方で、
上記操作装置により上記お気に入りチャンネル設定を解除する解除操作が行われた場合には、
現在表示中のテレビ映像に対応する上記お気に入りチャンネル設定が解除され、
上記他のチャンネルへの切換操作に基づく同他のチャンネルへの切換えを許可し、
上記ＤＶＤの再生操作に基づく同ＤＶＤの再生を許可し、
上記電源のオフ操作に基づく上記ＤＶＤ再生機能付テレビジョン装置の電源オフを許可すると共に、
上記お気に入りチャンネル設定におけるテレビ映像を表示しているときには、
上記お気に入りチャンネル設定におけるテレビ映像を表示していることをユーザに明示することを特徴とするＤＶＤ再生機能付テレビジョン装置。
【請求項２】
受信されるテレビジョン放送信号の中から１つのチャンネルに対応するテレビジョン放送信号に基づくテレビ映像を表示するテレビ機能と、実時刻をカウントする時計機能と、表示したいテレビ映像のチャンネル及び時刻を設定するチャンネル設定機能と、上記実時刻が上記設定された時刻となったときに上記設定されたチャンネルのテレビ映像を表示するタイマ機能とを具備するテレビジョン装置において、
上記設定されたチャンネルのテレビ映像を表示しているときに、同設定されたチャンネル以外の他のチャンネルへの切換操作がなされた場合には、同他のチャンネルへ所定時間切り換えた後同設定されたチャンネルへ復帰させることを特徴とするテレビジョン装置。
【請求項３】
上記設定されたチャンネルのテレビ映像を表示しているときに、同設定されたチャンネルの設定を無効とする解除操作が行われた場合には、上記他のチャンネルへの切換操作に基づく同他のチャンネルへの切換えを許可することを特徴とする請求項２に記載のテレビジョン装置。
【請求項４】
上記設定されたチャンネルのテレビ映像を表示しているときには、上記解除操作が行われるまでは電源のオフ操作を無効とすることを特徴とする請求項２または３に記載のテレビジョン装置。
【請求項５】
上記表示したいテレビ映像のチャンネル及び時刻が設定されているときには、上記時計機能が有する実時刻情報の変更を禁止することを特徴とする請求項２乃至４の何れかに記載のテレビジョン装置。
【請求項６】
上記表示したいテレビ映像のチャンネル及び時刻の設定を記憶する記憶装置を備え、
上記設定は、上記テレビジョン装置への電源供給が遮断されたとしても上記記憶装置に記憶されていることを特徴とする請求項２乃至５の何れかに記載のテレビジョン装置。
【請求項７】
上記表示したいテレビ映像のチャンネル及び時刻が設定入力されるための設定入力画面を上記テレビジョン装置にＯＳＤ表示することを特徴とする請求項２乃至６の何れかに記載のテレビジョン装置。
【請求項８】
デジタルの映像データを再生する映像再生機能と、上記テレビジョン放送信号に基づくテレビ映像の表示と上記映像データの再生に基づく映像の表示とを切り替える切替機能とを更に具備し、
上記設定されたチャンネルのテレビ映像を表示しているときに、上記映像データの再生操作がなされた場合には、同映像データを所定時間再生後同設定されたチャンネルのテレビ映像へ復帰させることを特徴とする請求項２乃至７の何れかに記載のテレビジョン装置。
【請求項９】
上記設定されたチャンネルのテレビ映像を表示しているときに、同設定されたチャンネルの設定を無効とする解除操作が行われた場合には、上記映像データの再生操作に基づく同映像データの再生を許可することを特徴とする請求項８に記載のテレビジョン装置。
【請求項１０】
上記映像データの再生中に上記設定された時刻になったときには、同映像データの再生を停止して、上記設定されたチャンネルのテレビ映像を表示することを特徴とする請求項８または９に記載のテレビジョン装置。
【請求項１１】
上記映像データの再生を停止するときには、停止直前の状態を保存して、次回同映像データの再生を行うときに同停止直前の状態から再生を行うレジューム機能を更に具備することを特徴とする請求項１０に記載のテレビジョン装置。
【請求項１２】
上記設定されたチャンネルのテレビ映像を表示しているときには、同テレビ映像を表示していることをユーザに明示することを特徴とする請求項２乃至１１の何れかに記載のテレビジョン装置。
【発明の詳細な説明】
【技術分野】
【０００１】
本発明は、ＤＶＤ再生機能付テレビジョン装置、およびテレビジョン装置に係り、特に、予め設定された時刻となったときに設定されたチャンネルのテレビ映像を表示する機能を備えたテレビジョン装置、およびそのテレビジョン装置にＤＶＤ再生機能が付加されたＤＶＤ再生機能付テレビジョン装置に関する。
【背景技術】
【０００２】
受信されるテレビジョン放送信号の中から１つのチャンネルに対応するテレビジョン放送信号に基づくテレビ映像を表示するテレビ機能と、表示したいテレビ映像のチャンネルや時刻を設定するチャンネル設定機能と、予め設定された時刻となったときに設定されたチャンネルのテレビ映像を表示するタイマ機能とを具備するテレビジョン装置がよく知られている。
【０００３】
例えば、特許文献１に示したようなテレビジョン受信機がそれである。この特許文献１には、予め設定された時刻になると自動的に電源をオンして放送電波の受信を開始する映像音響機器が開示されている。
【０００４】
また、特許文献２には、放送されている各番組についての曜日・開始時刻・終了時刻・チャンネルからなる番組枠情報を記憶し、ユーザから視聴したい番組を視聴予約されるとその番組枠情報を記憶し、その記憶した番組枠情報での曜日・開始時刻となったときに視聴促しメッセージを画面表示するテレビジョン受信機が開示されている。
【０００５】
また、特許文献３には、第１番組および第２番組をそれぞれ受信し、第２番組への切替時点から第１番組の未再生部分を記憶しており、受信した第１番組の未再生部分を記憶手段に書き込み、前に再生していた番組の再生を示す戻り要求を受け付け、その戻り要求を受け付けると、未再生部分を読み出すように読出制御し、第２番組の再生を停止して読み出した未再生部分の再生に切り替えるように再生制御し、読出制御により記憶手段から未再生部分を読み出し、再生制御により第２番組の受信中に部分および未再生部分を再生する放送記録再生装置が開示されている。
【０００６】
また、特許文献４には、情報記録媒体の映像・音声信号を再生してテレビジョン受像機に表示中、記憶手段から表示データを読み出して予告時間の到来を画面上に文字・サインで表示させ、かつスピーカにより音声を放音させるので、利用者は記録情報の再生中に希望の放送番組等が始まることが事前に分かり、見たい放送番組を見逃すといったことがなくなる効果がある情報記録再生装置が開示されている。
【特許文献１】特開平１０−２４８０４１号公報
【特許文献２】特開平９−２１４８７０号公報
【特許文献３】特開２００４−３４９７４５号公報
【特許文献４】特開２００３−１６３８６８号公報
【発明の開示】
【発明が解決しようとする課題】
【０００７】
しかしながら、設定されたチャンネルのテレビ映像が一旦表示された後に各種操作例えば他のチャンネルへの切換操作や電源オフが為されると、その操作に従って設定されたチャンネルから他のチャンネルへ切り換ったり電源オフしたりして、設定されたチャンネルのテレビ映像の表示が維持されない場合がある。そうすると、設定されたチャンネルのテレビ映像を継続して視聴したいとき、そのテレビ映像を強制的に視聴させたいとき、そのテレビ映像を以外を視聴させたくないときなどには、所望する状態にならない可能性があった。
【０００８】
本発明は上記課題に鑑みて為されたもので、その目的とするところは、設定されたチャンネルのテレビ映像の表示開始後にその状態を継続的に保持することが可能なテレビジョン装置、およびそのテレビジョン装置にＤＶＤ再生機能が付加されたＤＶＤ再生機能付テレビジョン装置を提供することにある。
【課題を解決するための手段】
【０００９】
上記目的を達成するための請求項１に記載の発明は、受信されるテレビジョン放送信号の中から１つのチャンネルに対応するテレビジョン放送信号に基づくテレビ映像を表示するテレビ機能と、挿入されたＤＶＤに記憶されているデジタルの映像データを読み取って再生可能なＤＶＤ再生機能と、上記テレビジョン放送信号に基づくテレビ映像の表示と上記映像データの再生に基づく映像の表示とを切り替える切替機能と、表示したいテレビ映像の設定日、時刻、チャンネル、音量の各項目をお気に入りチャンネル設定として設定するチャンネル設定機能と、時計回路から通知された実時刻が予め設定された時刻となったときに上記お気に入りチャンネル設定におけるテレビ映像を表示するタイマ機能とを有するマイコンを具備するＤＶＤ再生機能付テレビジョン装置において、ユーザの操作を受け付ける複数の操作キーの操作に応じた操作信号を上記マイコンへ出力する操作装置と、設定日、時刻、チャンネル、音量の各項目からなる上記お気に入りチャンネル設定を記録するための不揮発性半導体メモリとを備え、上記マイコンは、上記実時刻が上記不揮発性半導体メモリに記憶されている上記お気に入りチャンネル設定の時刻となると、上記ＤＶＤ再生機能付テレビジョン装置の電源がオフである場合には、同ＤＶＤ再生機能付テレビジョン装置の電源をオンし、上記ＤＶＤが再生中である場合には、同ＤＶＤの再生を停止させると共に、停止直前の状態を保存して、次回同ＤＶＤの再生を行うときに同停止直前の状態から再生を行うレジューム機能を働かせ、上記お気に入りチャンネル設定におけるテレビ映像を表示するものであり、上記お気に入りチャンネル設定におけるテレビ映像を表示しているときに、上記操作装置により上記お気に入りチャンネル設定のチャンネル以外の他のチャンネルへの切換操作がなされた場合には、同他のチャンネルへ所定時間切り換えた後同お気に入りチャンネル設定のチャンネルへ復帰させ、上記操作装置により上記ＤＶＤの再生操作がなされた場合には、同ＤＶＤを所定時間再生後上記お気に入りチャンネル設定におけるテレビ映像へ復帰させ、上記操作装置により上記ＤＶＤ再生機能付テレビジョン装置の電源のオフ操作がなされた場合には、同電源のオフ操作を無効とする一方で、上記操作装置により上記お気に入りチャンネル設定を解除する解除操作が行われた場合には、現在表示中のテレビ映像に対応する上記お気に入りチャンネル設定が解除され、上記他のチャンネルへの切換操作に基づく同他のチャンネルへの切換えを許可し、上記ＤＶＤの再生操作に基づく同ＤＶＤの再生を許可し、上記電源のオフ操作に基づく上記ＤＶＤ再生機能付テレビジョン装置の電源オフを許可すると共に、上記お気に入りチャンネル設定におけるテレビ映像を表示しているときには、上記お気に入りチャンネル設定におけるテレビ映像を表示していることをユーザに明示することにある。
【００１０】
上記のように構成された本発明のＤＶＤ再生機能付テレビジョン装置において、上記お気に入りチャンネル設定におけるテレビ映像を表示しているときに、そのお気に入りチャンネル設定のチャンネル以外の他のチャンネルへの切換操作がなされたとしても、その他のチャンネルへ所定時間切り換えられた後元のお気に入りチャンネル設定のチャンネルへ復帰させられる。一方で、そのお気に入りチャンネル設定を解除する解除操作が行われると、他のチャンネルへの切換操作に基づいてその他のチャンネルへの継続的な切換えが行われる。つまり、お気に入りチャンネル設定における番組が表示されているときに他のチャンネルの番組を継続的に見たい場合には、解除操作を行わないと他のチャンネルへ切り換えても所定時間後にお気に入りチャンネル設定のチャンネルへ復帰させられて、他のチャンネルへ継続的に切り換えることができない。
【００１１】
また、上記お気に入りチャンネル設定におけるテレビ映像を表示しているときに、上記ＤＶＤ再生機能付テレビジョン装置の電源のオフ操作がなされたとしても、その電源のオフ操作が無効とされる。一方で、そのお気に入りチャンネル設定を解除する解除操作が行われると、電源のオフ操作に基づいて上記ＤＶＤ再生機能付テレビジョン装置の電源がオフされる。
【００１２】
また、上記お気に入りチャンネル設定におけるテレビ映像を表示しているときに、上記ＤＶＤの再生操作がなされたとしても、そのＤＶＤが所定時間再生された後元のお気に入りチャンネル設定におけるテレビ映像へ復帰させられる。一方で、そのお気に入りチャンネル設定を解除する解除操作が行われると、ＤＶＤの再生操作に基づいてそのＤＶＤが継続的に再生される。
【００１３】
また、上記ＤＶＤの再生中であっても上記お気に入りチャンネル設定の時刻になったときには、同ＤＶＤの再生が停止させられて、そのお気に入りチャンネル設定におけるテレビ映像が表示される。このＤＶＤの再生が停止させられるときには、停止直前の状態が保存され、次回そのＤＶＤの再生が行われるときには、その停止直前の状態から再生が行われる。
【００１４】
また、上記お気に入りチャンネル設定におけるテレビ映像が表示されているときには、そのテレビ映像を表示していることがユーザに明示される。
【００１５】
また、前記目的を達成するための請求項２に記載の発明は、受信されるテレビジョン放送信号の中から１つのチャンネルに対応するテレビジョン放送信号に基づくテレビ映像を表示するテレビ機能と、実時刻をカウントする時計機能と、表示したいテレビ映像のチャンネル及び時刻を設定するチャンネル設定機能と、上記実時刻が上記設定された時刻となったときに上記設定されたチャンネルのテレビ映像を表示するタイマ機能とを具備するテレビジョン装置において、上記設定されたチャンネルのテレビ映像を表示しているときに、同設定されたチャンネル以外の他のチャンネルへの切換操作がなされた場合には、同他のチャンネルへ所定時間切り換えた後同設定されたチャンネルへ復帰させることにある。
【００１６】
上記のように構成された本発明のテレビジョン装置において、上記お気に入りチャンネル設定におけるテレビ映像を表示しているときに、そのお気に入りチャンネル設定のチャンネル以外の他のチャンネルへの切換操作がなされたとしても、その他のチャンネルへ所定時間切り換えられた後元のお気に入りチャンネル設定のチャンネルへ復帰させられる。
【００１７】
また、請求項３に記載の発明は、請求項２に記載のテレビジョン装置において、上記設定されたチャンネルのテレビ映像を表示しているときに、同設定されたチャンネルの設定を無効とする解除操作が行われた場合には、上記他のチャンネルへの切換操作に基づく同他のチャンネルへの切換えを許可することにある。
【００１８】
上記のように構成された請求項２に記載のテレビジョン装置において、上記設定されたチャンネルのテレビ映像を表示しているときに、同設定されたチャンネルの設定を無効とする解除操作が行われると、上記他のチャンネルへの切換操作に基づいてその他のチャンネルへの継続的な切換えが行われる。
【００１９】
また、請求項４に記載の発明は、請求項２または３に記載のテレビジョン装置において、上記設定されたチャンネルのテレビ映像を表示しているときには、上記解除操作が行われるまでは電源のオフ操作を無効とすることにある。
【００２０】
上記のように構成された請求項２または３に記載のテレビジョン装置において、上記設定されたチャンネルのテレビ映像を表示しているときには、上記解除操作を行わないと電源のオフ操作が無効とされる。
【００２１】
また、請求項５に記載の発明は、請求項２乃至４の何れかに記載のテレビジョン装置において、上記表示したいテレビ映像のチャンネル及び時刻が設定されているときには、上記時計機能が有する実時刻情報の変更を禁止することにある。
【００２２】
上記のように構成された請求項２乃至４の何れかに記載のテレビジョン装置において、上記表示したいテレビ映像のチャンネル及び時刻が設定されているときには、上記時計機能が有する実時刻情報の変更が禁止される。
【００２３】
また、請求項６に記載の発明は、請求項２乃至５の何れかに記載のテレビジョン装置において、上記表示したいテレビ映像のチャンネル及び時刻の設定を記憶する記憶装置を備え、上記設定は、上記テレビジョン装置への電源供給が遮断されたとしても上記記憶装置に記憶されていることにある。
【００２４】
上記のように構成された請求項２乃至５の何れかに記載のテレビジョン装置において、上記テレビジョン装置への電源供給を遮断しても上記表示したいテレビ映像のチャンネル及び時刻の設定は上記記憶装置に記憶されている。
【００２５】
また、請求項７に記載の発明は、請求項２乃至６の何れかに記載のテレビジョン装置において、上記表示したいテレビ映像のチャンネル及び時刻が設定入力されるための設定入力画面を上記テレビジョン装置にＯＳＤ表示することにある。
【００２６】
上記のように構成された請求項２乃至６の何れかに記載のテレビジョン装置において、上記テレビジョン装置にＯＳＤ表示された設定入力画面上で上記表示したいテレビ映像のチャンネル及び時刻が設定入力されて上記記憶装置に記憶される。
【００２７】
また、請求項８に記載の発明は、請求項２乃至７の何れかに記載のテレビジョン装置において、デジタルの映像データを再生する映像再生機能と、上記テレビジョン放送信号に基づくテレビ映像の表示と上記映像データの再生に基づく映像の表示とを切り替える切替機能とを更に具備し、上記設定されたチャンネルのテレビ映像を表示しているときに、上記映像データの再生操作がなされた場合には、同映像データを所定時間再生後同設定されたチャンネルのテレビ映像へ復帰させることにある。
【００２８】
上記のように構成された請求項２乃至７の何れかに記載のテレビジョン装置において、上記設定されたチャンネルのテレビ映像を表示しているときに、上記映像データの再生操作がなされたとしても、その映像データが所定時間再生された後元の設定されたチャンネルのテレビ映像へ復帰させられる。
【００２９】
また、請求項９に記載の発明は、請求項８に記載のテレビジョン装置において、上記設定されたチャンネルのテレビ映像を表示しているときに、同設定されたチャンネルの設定を無効とする解除操作が行われた場合には、上記映像データの再生操作に基づく同映像データの再生を許可することにある。
【００３０】
上記のように構成された請求項８に記載のテレビジョン装置において、上記設定されたチャンネルのテレビ映像を表示しているときに、同設定されたチャンネルの設定を無効とする解除操作が行われると、上記映像データの再生操作に基づいてその映像データが継続的に再生される。
【００３１】
また、請求項１０に記載の発明は、請求項８または９に記載のテレビジョン装置において、上記映像データの再生中に上記設定された時刻になったときには、同映像データの再生を停止して、上記設定されたチャンネルのテレビ映像を表示することにある。
【００３２】
上記のように構成された請求項８または９に記載のテレビジョン装置において、上記映像データの再生中であっても上記設定された時刻になったときには、同映像データの再生が停止させられて、上記設定されたチャンネルのテレビ映像が表示される。
【００３３】
また、請求項１１に記載の発明は、請求項１０に記載のテレビジョン装置において、上記映像データの再生を停止するときには、停止直前の状態を保存して、次回同映像データの再生を行うときに同停止直前の状態から再生を行うレジューム機能を更に具備することにある。
【００３４】
上記のように構成された請求項１０に記載のテレビジョン装置において、上記映像データの再生が停止させられるときには、停止直前の状態が保存される。そして、次回その映像データの再生が行われるときには、その停止直前の状態から再生が行われる。
【００３５】
また、請求項１２に記載の発明は、請求項２乃至１１の何れかに記載のテレビジョン装置において、上記設定されたチャンネルのテレビ映像を表示しているときには、同テレビ映像を表示していることをユーザに明示することにある。
【００３６】
上記のように構成された請求項２乃至１１の何れかに記載のテレビジョン装置において、上記設定されたチャンネルのテレビ映像が表示されているときには、そのテレビ映像を表示していることがユーザに明示される。
【発明の効果】
【００３７】
以上説明したように、請求項１に記載の発明によれば、お気に入りチャンネル設定におけるテレビ映像（番組）の表示開始後にお気に入りチャンネル設定のチャンネル以外の他のチャンネルへの切換操作がなされたとしてもそのお気に入りチャンネル設定におけるテレビ映像の表示状態を継続的に保持することが可能になる。また、お気に入りチャンネル設定におけるテレビ映像の表示開始後にＤＶＤの再生操作がなされたとしてもそのお気に入りチャンネル設定におけるテレビ映像の表示状態を継続的に保持することが可能になる。また、上記ＤＶＤの再生中であってもそのお気に入りチャンネル設定におけるテレビ映像を表示することができる。よって、お気に入りチャンネル設定におけるテレビ映像を継続して視聴したり、お気に入りチャンネル設定におけるテレビ映像を強制的に視聴させたり、或いはお気に入りチャンネル設定におけるテレビ映像以外を視聴させないことが可能になる。また、お気に入りチャンネル設定におけるテレビ映像の視聴中にＣＭなどで他のチャンネルに切り換えたときに、お気に入りチャンネル設定のチャンネルがわからなくなっても自動的に戻ってくれる。また、お気に入りチャンネル設定におけるテレビ映像を番組終了までより確実に視聴させることが可能になる。
【００３８】
また、お気に入りチャンネル設定におけるテレビ映像の表示終了後、或いは上記解除操作後にＤＶＤの再生を行う際、前回の続きから視聴することが簡単にできる。
【００３９】
また、お気に入りチャンネル設定におけるテレビ映像を視聴していることが確実にユーザに認識されるので、そのテレビ映像の表示中における操作装置の各種操作における制限事項に対して違和感が生じ難い。
【００４０】
また、請求項２に記載の発明によれば、設定されたチャンネルのテレビ映像の表示開始後に設定されたチャンネル以外の他のチャンネルへの切換操作がなされたとしてもその設定されたチャンネルのテレビ映像の表示状態を継続的に保持することが可能になる。よって、設定されたチャンネルのテレビ映像を継続して視聴したり、設定されたチャンネルのテレビ映像を強制的に視聴させたり、或いは設定されたチャンネルのテレビ映像以外を視聴させないことが可能になる。
【００４１】
また、請求項３に記載の発明によれば、上記設定されたチャンネルの設定を無効とする解除操作を行うことで、上記他のチャンネルへの継続的な切換えが可能になる。
【００４２】
また、請求項４に記載の発明によれば、設定されたチャンネルのテレビ映像を番組終了までより確実に視聴させることが可能になる。
【００４３】
また、請求項５に記載の発明によれば、設定された時刻に設定されたチャンネルのテレビ映像をより確実に表示することが可能になる。また、設定されたチャンネルのテレビ映像の表示開始後にそのテレビ映像の表示状態をより確実に保持することが可能になる。これにより設定されたチャンネルのテレビ映像を番組終了までより確実に視聴させることが可能になる。
【００４４】
また、請求項６に記載の発明によれば、設定された時刻に設定されたチャンネルのテレビ映像をより確実に表示することが可能になる。
【００４５】
また、請求項７に記載の発明によれば、表示したいテレビ映像のチャンネル及び時刻の設定をテレビジョン装置にＯＳＤ表示された設定入力画面上で簡単に設定入力することができる。
【００４６】
また、請求項８に記載の発明によれば、設定されたチャンネルのテレビ映像の表示開始後に映像データの再生操作がなされたとしてもそのテレビ映像の表示状態を継続的に保持することが可能になる。よって、設定されたチャンネルのテレビ映像を継続して視聴したり、設定されたチャンネルのテレビ映像を強制的に視聴させたり、或いは設定されたチャンネルのテレビ映像以外を視聴させないことが可能になる。
【００４７】
また、請求項９に記載の発明によれば、上記設定されたチャンネルの設定を無効とする解除操作を行うことで、上記映像データの継続的な再生が可能になる。
【００４８】
また、請求項１０に記載の発明によれば、上記映像データの再生中であっても設定されたチャンネルのテレビ映像を表示することができる。よって、設定されたチャンネルのテレビ映像を視聴したり、設定されたチャンネルのテレビ映像を強制的に視聴させることが可能になる。
【００４９】
また、請求項１１に記載の発明によれば、設定されたチャンネルのテレビ映像の表示終了後、或いは上記解除操作後に映像データの再生を行う際、前回の続きから視聴することが簡単にできる。
【００５０】
また、請求項１２に記載の発明によれば、設定されたチャンネルのテレビ映像を視聴していることが確実にユーザに認識されるので、各種操作に違和感が生じ難い。
【発明を実施するための最良の形態】
【００５１】
以下、下記の項目に従って本発明の実施形態を図面を参照しつつ説明する。
（１）ＤＶＤ再生機能付液晶テレビジョン装置の構成
（２）お気に入りチャンネル設定におけるテレビ映像を表示させる具体的な制御
（３）まとめ
【００５２】
（１）ＤＶＤ再生機能付液晶テレビジョン装置の構成
図１は、本発明が適用されるテレビジョン装置の一例であるＤＶＤ再生機能付テレビジョン装置としてのＤＶＤ再生機能付液晶テレビジョン装置（以下、液晶テレビジョン装置という）１０の構成を説明するブロック図である。図１において、液晶テレビジョン装置１０は、チューナ部１１と、ＤＶＤ再生部１２と、スイッチ回路１３と、フロントエンド１４と、デコーダ１５と、ＯＳＤ回路１６と、音声出力部１７と、画像表示部１８と、リモコン受信部１９と、マイコン２０と、電源回路２１と、時計回路２２と、ＥＥＰＲＯＭ２３とを備えている。
【００５３】
チューナ部１１は、例えばアンテナ２４と接続されており、マイコン２０からの制御信号に従って、アンテナ２４で受信されるテレビジョン放送信号の中から１つのチャンネル（例えばユーザによって選局されたチャンネル）に対応するテレビジョン放送信号を取得してスイッチ回路１３に出力する。
【００５４】
ＤＶＤ再生部１２は、デジタルの映像データを再生する映像再生機能を備えるものであって、例えばマイコン２０からの制御信号に従って、挿入されたＤＶＤディスクに記憶されているデジタルの映像データを読み取って再生し、その映像データに基づく信号をスイッチ回路１３に出力する。尚、このＤＶＤ再生部１２は、ＤＶＤディスクの他、ＣＤ−ＲＯＭ等に記憶されている映像データや、ＣＤ−ＤＡに記憶されている音声データに再生を行うことが可能である。
【００５５】
スイッチ回路１３は、例えばマイコン２０からの制御信号に従って、チューナ部１１からのテレビジョン放送信号、或いはＤＶＤ再生部１２からの映像データをフロントエンド１４に出力する。
【００５６】
フロントエンド１４は、例えばマイコン２０からの制御信号に従って、スイッチ回路１３を介してチューナ１１から出力されたテレビジョン放送信号、或いはＤＶＤ再生部１２から出力された信号を中間周波信号に変換して、デコーダ１３に出力する。
【００５７】
デコーダ１５は、例えばマイコン２０からの制御信号に従って、フロントエンド１４から出力された中間周波信号に対して所定のファイル形式（例えばよく知られたＭＰＥＧ−２形式等）に応じた処理を施すことによって、その中間周波信号を音声信号と画像信号とに分離してデコードする。そして、そのデコードした音声信号を音声出力部１７へ出力するとともに、画像信号を画像表示部１８へ出力する。
【００５８】
ＯＳＤ回路１６は、例えばマイコン２０からの制御信号に従って、画像表示部１８にメニュー画面等所定のＯＳＤ表示（オンスクリーンディスプレイ表示）をさせるためのＯＳＤ表示信号を、デコーダ１５から画像表示部１８へ出力される画像信号に合成する。
【００５９】
音声出力部１７は、例えば音声出力アンプＩＣ（Ｄ−ＡＭＰ）１７ａやスピーカ１７ｂなどを有し、音声出力アンプＩＣ１７ａによりデコーダ１５から入力された音声信号に電力増幅等の所定の処理を施して、その音声信号に基づく音声データに応じた音声をスピーカ１７ｂから出力する。
【００６０】
画像表示部１８は、例えばパネル駆動回路１８ａや液晶パネル１８ｂなどを有し、デコーダ１５から出力された画像信号に基づく画像データに応じた画像や、デコーダ１５から出力されてＯＳＤ回路１６によりＯＳＤ表示信号が合成された画像信号に基づく画像データに応じた画像を表示する。
【００６１】
リモコン受信部１９は、例えばリモコン２５から送信された各種赤外線信号（制御コマンド）を受信し、それら各種信号に基づく各種データをマイコン２０へ出力する。
【００６２】
リモコン２５は、ユーザの操作を受け付ける複数の操作キーの操作に応じた操作信号をリモコン受信部１９を介してマイコン２０へ出力する操作装置であって、例えばユーザの操作を受け付ける複数の操作キー２５ａを有し、その操作キー２５ａの操作に応じた操作信号としての赤外線信号をリモコン受信部１９へ送信する。リモコン２５は、例えば液晶テレビジョン装置１０の電源をオン／オフする電源キー、選局するチャンネルを直接的に指定する際に操作される各チャンネルキー、選局するチャンネルを指定する際に操作されるチャンネルアップ／ダウンキー、液晶テレビジョン装置１０の音量を増減する際に操作されるボリュームアップ／ダウンキー、上下左右カーソル移動キー、セットキー、およびメニューキー２５ａ１などの操作キー２５ａを有している。
【００６３】
マイコン２０は、例えばＣＰＵ２０ａやＲＡＭ２０ｂやＲＯＭ２０ｃなどを有し、マイコン１３ａは、ＣＰＵ、ＲＯＭ、ＲＡＭ等を備え、ＲＯＭ２０ｃに予め記憶された所定のプログラムに基づいてスイッチ回路１３やＯＳＤ回路１６等に所定の指示を出して液晶テレビジョン装置１０各部を制御する。例えば、マイコン２０は、リモコン受信部１９で受信したリモコン２５からの制御コマンドに基づいてチャンネルの切換え、音量のアップ／ダウン、表示したいテレビ映像（番組）の設定日、時刻、チャンネル、音量などの各項目をお気に入りチャンネル設定として設定するチャンネル設定、その設定された時刻となったときにお気に入りチャンネル設定におけるテレビ映像を表示するタイマ作動等を制御する。
【００６４】
ＣＰＵ１８ａは、ＲＯＭ１８ｃに記憶された液晶テレビジョン装置１０用の各種処理プログラムに従って、各種の制御動作を行う。
【００６５】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００６６】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００６７】
マイコン２０による制御の一例をより具体的に説明する。例えば、リモコン２５にてメニューキー２５ａ１が押し下げ操作されると、対応する操作信号がリモコン受信部１９を介してマイコン２０へ入力される。そして、マイコン２０はその操作信号が入力されると、メニュー画面の調整項目全てを表す情報をＲＯＭより取得して、いずれかの位置に対応させたカーソルとともにＯＳＤ表示させるＯＳＤ信号をＯＳＤ回路１６に生成させ、デコーダ１５からの画像信号にその生成したＯＳＤ信号を重畳する。画像信号にＯＳＤ信号が重畳されると、液晶パネル１８ｂにはカーソルとともに調整項目の一覧が表示される。このとき、ユーザはこのメニュー画面に従ってリモコン２５に配置された操作キー２５ａを押し下げ操作することで調整項目の選択入力を行うことができる。すると、マイコン２０は、対応するキー操作を検知してリモコン２５から操作入力を受け付ける。
【００６８】
また、マイコン２０は、スイッチ回路１３によりチューナ部１１とフロントエンド１４とを接続させて、チューナ部１１から出力されるテレビジョン放送信号に基づく映像を液晶パネル１８ｂに表示させると共に、そのテレビジョン放送信号に基づく音声をスピーカ１７ｂから出力させるテレビ機能を有している。一方で、スイッチ回路１３によりＤＶＤ再生部１２とフロントエンド１４とを接続させて、挿入されたＤＶＤディスク等から読み出された映像データに基づいてＤＶＤ再生部１２から出力される信号に基づく映像を液晶パネル１８ｂに表示させると共に、その信号に基づく音声をスピーカ１７ｂから出力させるＤＶＤ再生機能を有している。このように、マイコン２０は、スイッチ回路１３によりテレビジョン放送信号に基づくテレビ映像の表示と映像データの再生に基づく映像の表示とを切り替える切替機能を有している。
【００６９】
電源回路２１は、例えば部分共振電源回路であり、商用ＡＣ電源を複数種類の所定の電圧に変換して液晶テレビジョン装置１０の各部へ動作電源電圧を出力する。
【００７０】
時計回路２２は、実時刻をカウントする時計機能を有するものであって、例えばマイコン２０からの制御信号に従って、その実時刻をマイコン２０へ逐次通知する。
【００７１】
ＥＥＰＲＯＭ２３は、マイコン２０が演算を行うための各種設定データ例えば設定日、時刻、チャンネル、音量の各項目からなるお気に入りチャンネル設定データを記録する記憶装置としての不揮発性半導体メモリの一例である。
【００７２】
（２）お気に入りチャンネル設定におけるテレビ映像を表示させる具体的な制御
以下に、本発明におけるお気に入りチャンネル設定におけるテレビ映像を表示させる具体的な制御を説明する。
【００７３】
図２は、マイコン２０が有する、表示したいテレビ映像、すなわち視聴したい番組、強制的に視聴させたい番組、それ以外には視聴させたくない番組などをお気に入りチャンネル設定として設定するチャンネル設定機能において、主にマイコン２０によって制御されるお気に入りチャンネル設定を行うための制御作動を示したフローチャートであり、所定の周期で繰り返し実行されている。図２において、先ず、ステップＳ１０では、ユーザによりリモコン２５にてメニューキー２５ａ１が押し下げ操作されたか否かが判断される。
【００７４】
上記ステップＳ１０の判断が否定される場合は本ルーチンが終了させられるが、肯定される場合はステップＳ２０において、図３（ａ）に示すようなメニュー画面が液晶テレビジョン装置１０の画面すなわち液晶パネル１８ｂにＯＳＤ表示される。このメニュー画面には、例えば「お気に入りチャンネル設定」、「画質」、「音質」、「時計」などの調整項目がいずれかの位置に対応して表示されるカーソルとともにＯＳＤ表示される。図３（ａ）にはカーソルが「お気に入りチャンネル設定」の位置にあわせて表示されたものを示してある。この「お気に入りチャンネル設定」の項目は、実時刻が予め設定された時刻となったときにお気に入りチャンネル設定におけるテレビ映像を表示するタイマ機能を作動させるために必要な各種項目を設定するためのものである。
【００７５】
図３（ａ）に示すようにカーソルが「お気に入りチャンネル設定」の位置にあるときにリモコン２５の決定キー２５ａ２が押し下げ操作されると、ステップＳ３０において、図３（ｂ）に示すような設定入力画面としてのお気に入りチャンネル設定画面がＯＳＤ表示される。このお気に入りチャンネル設定画面には、「お気に入り設定保存番号」、「設定日」、「時刻」、「チャンネル」、「音量」の各項目がいずれかの位置に対応して表示されるカーソルとともにＯＳＤ表示される。
【００７６】
上記「お気に入り設定保存番号」の項目は、お気に入りチャンネル設定を記憶する際の保存番号を設定するためのものであって、保存番号１つに対して１つのお気に入りチャンネル設定が記憶される。これによって、複数のお気に入りチャンネル設定を記憶することができる。図３の例では、保存番号１〜５に計５つのお気に入りチャンネル設定が記憶される。
【００７７】
また、上記「設定日」の項目は、お気に入りチャンネル設定の設定日を定めるためのものであって、日付指定、曜日指定、毎週指定、毎日指定、月−金指定の何れかを設定する。また、上記「時刻」の項目は、お気に入りチャンネル設定におけるテレビ映像の開始時刻および終了時刻を設定するためのものである。また、上記「チャンネル」の項目は、お気に入りチャンネル設定におけるテレビ映像のチャンネルを設定するためのものである。また、上記「音量」の項目は、お気に入りチャンネル設定におけるテレビ映像の表示の際の液晶テレビジョン１０の音量を設定するためのものである。
【００７８】
そして、このステップＳ３０において、「お気に入り設定保存番号」、「設定日」、「時刻」、「チャンネル」、「音量」の各項目の設定入力が受け付けられる。
【００７９】
図３（ｂ）に示すようにカーソルが「決定」の位置にあるときにリモコン２５の決定キー２５ａ２が押し下げ操作されると、ステップＳ４０において、ステップＳ３０にて入力された上記各項目の設定がＥＥＰＲＯＭ２３に記憶される。このお気に入りチャンネル設定の各項目は、お気に入りチャンネル設定の時刻にその設定におけるテレビ映像がより確実に表示されるように、電源ケーブルが抜かれるなどして液晶テレビジョン装置１０への商用ＡＣ電源の供給が遮断されたとしてもＥＥＰＲＯＭ２３に記憶されている。
【００８０】
次いで、ステップＳ５０において、お気に入りチャンネル設定の入力を繰り返すか否かが判定される。つまり、図３（ｂ）に示すお気に入りチャンネル設定画面上において、カーソルが「繰り返し」の位置にあるときにリモコン２５の決定キー２５ａ２が押し下げ操作されたか否かが判断される。
【００８１】
上記ステップＳ５０の判断が肯定される場合はステップＳ３０に戻り、お気に入りチャンネル設定の入力が繰り返される。一方で、カーソルが「終了」の位置にあるときにリモコン２５の決定キー２５ａ２が押し下げ操作されたことで、上記ステップＳ５０の判断が否定される場合は本ルーチンが終了させられる。
【００８２】
図４は、マイコン２０が有するタイマ機能において、主にマイコン２０によって制御されるお気に入りチャンネル設定におけるテレビ映像を表示するための制御作動を示したフローチャートであり、所定の周期で繰り返し実行されている。図４において、先ず、ステップＳ１１０では、お気に入りチャンネル設定が行われているか否かが、お気に入りチャンネル設定がＥＥＰＲＯＭ２３に記憶されているか否かに基づいて判断される。
【００８３】
上記ステップＳ１１０の判断が否定される場合は本ルーチンが終了させられるが、肯定される場合はステップＳ１２０において、時計回路２２が有する実時刻情報の設定変更が選択されたか否かが判断される。つまり、図３（ａ）に示すメニュー画面上において、カーソルが「時計」の位置にあるときにリモコン２５の決定キー２５ａ２が押し下げ操作されたか否かが判断される。
【００８４】
上記ステップＳ１２０の判断が肯定される場合はステップＳ１３０において、この「時計」における実時刻情報の設定変更が禁止される。このとき、例えば「お気に入りチャンネル設定中は時刻の設定変更ができない」旨がＯＳＤ表示されてユーザに明示される。
【００８５】
上記ステップＳ１３０に続いて、或いは上記ステップＳ１２０の判断が否定される場合は、ステップＳ１４０において、実時刻がＥＥＰＲＯＭ２３に記憶されているお気に入りチャンネル設定における設定時刻であるか否かが判断される。
【００８６】
上記ステップＳ１４０の判断が否定される場合は本ルーチンが終了させられるが、肯定される場合はステップＳ１５０において、液晶テレビジョン装置１０の電源がオフであるか否かが判断される。
【００８７】
上記ステップＳ１５０の判断が肯定される場合はステップＳ１６０において、液晶テレビジョン装置１０の電源がオンさせられる。
【００８８】
上記ステップＳ１６０に続いて、或いは上記ステップＳ１５０の判断が否定される場合は、ステップＳ１７０において、ＤＶＤ再生部１２によりＤＶＤディスク等が再生中であり、スイッチ回路１３によりＤＶＤ再生部１２とフロントエンド１４とが接続されているか否かが判断される。
【００８９】
上記ステップＳ１７０の判断が肯定される場合はステップＳ１８０において、お気に入りチャンネル設定におけるテレビ映像を表示するためにＤＶＤ再生部１２によるＤＶＤディスク等の再生を停止させると共に、スイッチ回路１３によりチューナ部１１とフロントエンド１４とを接続させる。ＤＶＤディスク等の再生を停止させるときには、停止直前の状態を保存して、次回ＤＶＤディスク等の再生を行うときにその停止直前の状態から再生を行うレジューム機能をオンする（働かせる）。
【００９０】
上記ステップＳ１８０に続いて、或いは上記ステップＳ１７０の判断が否定される場合は、ステップＳ１９０において、お気に入りチャンネル設定におけるテレビ映像が表示される。このとき、例えば「お気に入りチャンネル設定におけるテレビ映像を表示している」旨が、液晶テレビジョン装置１０の表示面側の枠等にランプ等を設けて点灯させたり、ＯＳＤ表示されたりしてユーザに明示されても良い。お気に入りチャンネル設定におけるテレビ映像を視聴していることがユーザに認識されることで、お気に入りチャンネル設定におけるテレビ映像表示中のリモコン２５等の各種操作における制限事項に対して違和感が生じ難い利点がある。
【００９１】
次いで、ステップＳ２００において、リモコン２５における操作キー２５ａの操作や液晶テレビジョン装置１０における操作キーの操作により、お気に入りチャンネル設定のチャンネル以外の他のチャンネルへの切換操作およびＤＶＤディスク等の再生操作の何れかが行われたか否かが判断される。
【００９２】
上記ステップＳ２００の判断が肯定される場合はステップＳ２１０において、他のチャンネルへの切換操作が行われた場合には、その他のチャンネルへ所定時間切り換えられた後元のお気に入りチャンネル設定のチャンネルへ復帰させられる。或いは、ＤＶＤディスク等の再生操作が行われた場合には、ＤＶＤディスク等が所定時間再生された後元のお気に入りチャンネル設定におけるテレビ映像へ復帰させられる。これにより、お気に入りチャンネル設定におけるテレビ映像を継続して視聴したり、お気に入りチャンネル設定におけるテレビ映像を強制的に視聴させたり、或いはお気に入りチャンネル設定におけるテレビ映像以外を視聴させないことが可能になる。或いはまた、お気に入りチャンネル設定におけるテレビ映像の視聴中にＣＭなどで他のチャンネルに切り換えたときに、お気に入りチャンネル設定におけるテレビ映像のチャンネル番号がわからなくなっても自動的に戻ってくれる利点がある。
【００９３】
上記ステップＳ２１０に続いて、或いは上記ステップＳ２００の判断が否定される場合は、ステップＳ２２０において、リモコン２５における操作キー２５ａの操作や液晶テレビジョン装置１０における操作キーの操作により電源のオフ操作が行われたか否かが判断される。
【００９４】
上記ステップＳ２２０の判断が肯定される場合はステップＳ２３０において、お気に入りチャンネル設定におけるテレビ映像を番組終了までより確実に視聴させることが可能になるように、電源のオフ操作が無効とされ、電源オンが維持される。
【００９５】
上記ステップＳ２３０に続いて、或いは上記ステップＳ２２０の判断が否定される場合は、ステップＳ２４０において、現在表示中のテレビ映像に対応するお気に入りチャンネル設定を解除する解除操作すなわちお気に入りチャンネル設定を無効とする解除操作が行われたか否かが判断される。つまり、つまり、図３（ｂ）に示すお気に入りチャンネル設定画面上において、カーソルが「解除」の位置にあるときにリモコン２５の決定キー２５ａ２が押し下げ操作されたか否かが判断される。
【００９６】
上記ステップＳ２４０の判断が否定される場合は本ルーチンが終了させられるが、肯定される場合はステップＳ２５０において、現在表示中のテレビ映像に対応するお気に入りチャンネル設定が無効とされる。すなわち、現在表示中のテレビ映像に対応するお気に入りチャンネル設定が解除される。これにより、他のチャンネルへの切換操作に基づくその他のチャンネルへの継続的な切換えが許可される。また、ＤＶＤディスク等の再生操作に基づくＤＶＤディスク等の継続的な再生が許可される。尚、このＤＶＤディスク等の再生操作において、お気に入りチャンネル設定におけるテレビ映像の表示開始に際してＤＶＤディスク等の再生が停止させられていた場合には、レジューム機能により停止直前の状態から再生を行うことも可能である。また、電源のオフ操作に基づく電源オフが許可される。
【００９７】
（３）まとめ
上述のように、本実施例によれば、お気に入りチャンネル設定におけるテレビ映像（番組）が表示されているときに他のチャンネルの番組を継続的に見たい場合には、現在表示中のテレビ映像に対応するお気に入りチャンネル設定を解除する解除操作を行わないと他のチャンネルへ切り換えても所定時間後にお気に入りチャンネル設定のチャンネルへ復帰させられて、他のチャンネルへ継続的に切り換えることができないので、お気に入りチャンネル設定におけるテレビ映像の表示開始後にお気に入りチャンネル設定のチャンネル以外の他のチャンネルへの切換操作がなされたとしてもお気に入りチャンネル設定におけるテレビ映像の表示状態を継続的に保持することが可能になる。よって、お気に入りチャンネル設定におけるテレビ映像を継続して視聴したり、お気に入りチャンネル設定におけるテレビ映像を強制的に視聴させたり、或いはお気に入りチャンネル設定におけるテレビ映像以外を視聴させないことが可能になる。また、お気に入りチャンネル設定におけるテレビ映像の視聴中にＣＭなどで他のチャンネルに切り換えたときに、お気に入りチャンネル設定におけるテレビ映像のチャンネル番号がわからなくなっても自動的に戻ってくれる。
【００９８】
また、本実施例によれば、お気に入りチャンネル設定におけるテレビ映像を表示しているときには、お気に入りチャンネル設定の解除操作を行わないと電源のオフ操作が無効とされるので、お気に入りチャンネル設定におけるテレビ映像を番組終了までより確実に視聴させることが可能になる。
【００９９】
また、本実施例によれば、お気に入りチャンネル設定が行われているときには、時計回路２２が有する実時刻情報の変更が禁止されるので、お気に入りチャンネル設定の設定時刻にお気に入りチャンネル設定におけるテレビ映像をより確実に表示することが可能になる。また、お気に入りチャンネル設定におけるテレビ映像の表示開始後にその表示状態をより確実に保持することが可能になる。これによりお気に入りチャンネル設定におけるテレビ映像を番組終了までより確実に視聴させることが可能になる。
【０１００】
また、本実施例によれば、液晶テレビジョン装置１０へのＡＣ電源供給を遮断してもお気に入りチャンネル設定はＥＥＰＲＯＭ２３に記憶されているので、お気に入りチャンネル設定の設定時刻にお気に入りチャンネル設定におけるテレビ映像をより確実に表示することが可能になる。
【０１０１】
また、本実施例によれば、液晶テレビジョン装置１０にＯＳＤ表示されたお気に入りチャンネル設定画面上で「お気に入り設定保存番号」、「設定日」、「時刻」、「チャンネル」、「音量」からなるお気に入りチャンネル設定の各項目が設定入力されてＥＥＰＲＯＭ２３に記憶されるので、そのお気に入りチャンネル設定の各項目を簡単に設定入力することができる。
【０１０２】
また、本実施例によれば、お気に入りチャンネル設定におけるテレビ映像が表示されているときにＤＶＤディスク等を継続的に再生したい場合には、お気に入りチャンネル設定の解除操作を行わないとＤＶＤディスク等を再生しても所定時間後にお気に入りチャンネル設定におけるテレビ映像へ復帰させられて、ＤＶＤディスク等を継続的に再生することができないので、お気に入りチャンネル設定におけるテレビ映像の表示開始後にＤＶＤディスク等の再生操作がなされたとしてもお気に入りチャンネル設定におけるテレビ映像の表示状態を継続的に保持することが可能になる。よって、お気に入りチャンネル設定におけるテレビ映像を継続して視聴したり、お気に入りチャンネル設定におけるテレビ映像を強制的に視聴させたり、或いはお気に入りチャンネル設定におけるテレビ映像以外を視聴させないことが可能になる。また、お気に入りチャンネル設定におけるテレビ映像の視聴中にＣＭなどでＤＶＤディスク等を再生したときに、お気に入りチャンネル設定におけるテレビ映像のチャンネル番号がわからなくなっても自動的に戻ってくれる。
【０１０３】
また、本実施例によれば、ＤＶＤディスク等の再生中であってもお気に入りチャンネル設定の設定時刻になったときには、ＤＶＤディスク等の再生が停止させられて、そのお気に入りチャンネル設定におけるテレビ映像が表示されるので、お気に入りチャンネル設定におけるテレビ映像を視聴したり、お気に入りチャンネル設定におけるテレビ映像を強制的に視聴させることが可能になる。
【０１０４】
また、本実施例によれば、ＤＶＤディスク等の再生が停止させられるときには、停止直前の状態が保存され、次回そのＤＶＤディスク等の再生が行われるときには、その停止直前の状態から再生が行われるので、お気に入りチャンネル設定におけるテレビ映像の表示終了後、或いはお気に入りチャンネル設定の解除操作後にＤＶＤディスク等の再生を行う際、前回の続きから視聴することが簡単にできる。
【０１０５】
また、本実施例によれば、お気に入りチャンネル設定におけるテレビ映像が表示されているときには、そのテレビ映像を表示していることがユーザに明示されるので、お気に入りチャンネル設定におけるテレビ映像を視聴していることが確実にユーザに認識されて、お気に入りチャンネル設定におけるテレビ映像表示中のリモコン２５等の各種操作における制限事項に対して違和感が生じ難い。
【０１０６】
以上、本発明の実施例を図面に基づいて詳細に説明したが、本発明はその他の態様においても適用される。
【０１０７】
例えば、前述の実施例におけるお気に入りチャンネル設定の解除操作は、図３（ｂ）に示すお気に入りチャンネル設定画面上において、カーソルが「解除」の位置にあるときにリモコン２５の決定キー２５ａ２を押し下げ操作するものであったが、リモコン２５における操作キー２５ａの操作や液晶テレビジョン装置１０における操作キーの操作によりその解除操作を行うようにしても良い。また、解除操作に際して予め設定されているパスワードの入力を要求するようにしても良い。これにより、お気に入りチャンネル設定におけるテレビ映像を番組終了まで一層確実に視聴させることが可能になる。
【０１０８】
なお、上述したのはあくまでも一実施形態であり、本発明は当業者の知識に基づいて種々の変更、改良を加えた態様で実施することができる。
【図面の簡単な説明】
【０１０９】
【図１】本発明が適用されるＤＶＤ再生機能付液晶テレビジョン装置の構成を説明するブロック図である。
【図２】主にマイコンによって制御されるお気に入りチャンネル設定を行うための制御作動を示したフローチャートである。
【図３】各種項目を設定するためにＯＳＤ表示される画面である。（ａ）は「お気に入りチャンネル設定」、「画質」、「音質」、「時計」などの設定したい調整項目を選択するためのメニュー画面である。（ｂ）はお気に入りチャンネル設定におけるテレビ映像を表示するタイマ機能を作動させるために必要な各種項目を設定するためのお気に入りチャンネル設定画面である。
【図４】主にマイコンによって制御されるお気に入りチャンネル設定におけるテレビ映像を表示するための制御作動を示したフローチャートである。
【符号の説明】
【０１１０】
１０：ＤＶＤ再生機能付テレビジョン装置（テレビジョン装置）
２０：マイコン
２２：時計回路
２３：ＥＥＰＲＯＭ（不揮発性半導体メモリ、記憶装置）
２５：リモコン（操作装置）
２５ａ：操作キー
【図１】
2008258758.tif 000003
【図２】
2008258758.tif 000004
【図３】
2008258758.tif 000005
【図４】
2008258758.tif 000006